(57)【要約】【課題】  ホタルの幼虫やカワニナを人工的に屋内外の小さなスペースで大量飼育できる移動可能な装置を提供する。【解決手段】  浄化用フィルタ部５と揚水ポンプ部６を有した水槽部２を利用して自然界の小川を再現し，垂直方向に排水部７から水を循環させた複数の飼育トレイ部３をラック部１に設置し，ラック部１にキャスター部４を設けて移動できるようにしてある。【選択図】  図１
2007082517.tif 000002
【特許請求の範囲】
【請求項１】
キャスター部４を有した垂直方向に伸びるラック部１に，ゴミ取り部８を有し排水部７を設置した飼育トレイ部３と，浄化用フィルタ部５と揚水ポンプ部６を有した水槽部２を備えたホタルの幼虫とカワニナの飼育装置。
【請求項２】
前記ラック部１は，下段に水槽部２を有し，それより上部には飼育トレイ部３を備えることを特徴とする請求項１記載のホタルの幼虫とカワニナの飼育装置。
【請求項３】
前記ラック部１は，移動のためのキャスター部４を有することを特徴とする請求項１記載のホタルの幼虫とカワニナの飼育装置。
【請求項４】
前記ラック部１には，前方向に突出した飼育トレイ部３を有することを特徴とする請求項１記載のホタルの幼虫とカワニナの飼育装置。
【請求項５】
前記飼育トレイ部３は，排水のための穴を設けた，縦・横・高さを有することを特徴とする請求項１記載のホタルの幼虫とカワニナの飼育装置。
【請求項６】
水槽部２には，水質の悪化を防ぐための前記浄化用フィルタ部５と水を循環させるための前記揚水ポンプ部６を有することを特徴とする請求項１記載のホタルの幼虫とカワニナの飼育装置。
【請求項７】
前記排水部７は，各飼育トレイ部３に取り付け，飼育トレイ部３内の水面の高さはホタルの幼虫やカワニナが成育するのに適した高さを維持し，下部の飼育トレイ部３並びに下段の水槽部２に水を流すことを特徴とする請求項１記載のホタルの幼虫とカワニナの飼育装置。
【請求項８】
ゴミ取り部８は，飼育トレイ部３内に取り付けた排水部７の上方に付属することを特徴とする請求項１記載のホタルの幼虫とカワニナの飼育装置。
【発明の詳細な説明】
【技術分野】
【０００１】  本発明は，屋内並びに屋外で人工的にホタルの幼虫とカワニナを大量に飼育する装置に関する。
【背景技術】
【０００２】  自然界での水質汚染に伴い，ホタルの幼虫やそのエサであるカワニナが減少あるいは絶滅し，それらを保護・保存するために，人工的に飼育する必要があった。【０００３】  従来は，水槽による飼育が一般的で，大量に飼育するためには，水槽を水平方向に多数並べる装置が知られている（特許文献１）。【０００４】
【特許文献１】特許出願２００１−８９５８９
【発明の開示】
【発明が解決しようとする課題】
【０００５】  ホタルの幼虫とカワニナを人工的に飼育するためには，飼育内の水質の悪化を防ぐとともに，飼育水中の溶存酸素をある程度維持する必要があり，多数回にわたる水替えの実施とエアレーションを随時施す方法が一般的であるが，これらを改善する必要があった。【０００６】  本発明は，このような点に鑑みなされたもので，人工的に屋内外で設置が容易で，効果的に多数のホタルの幼虫とカワニナ飼育が容易な飼育装置を提供することを課題とする。【０００７】  この装置を用いることで，ゲンジボタルやヘイケボタルの幼虫の水替え作業を大幅に軽減させて大量に飼育することが容易で，さらにカワニナやチリメンカワニナを大量に飼育することが容易な飼育装置を提供することを課題とする
【課題を解決するための手段】
【０００８】  このホタルの幼虫とカワニナ飼育装置は，上記課題を達成するために飼育トレイ部３を垂直方向に設置することで，飼育スペースを大幅に改善することを特徴とするものである。【０００９】  このホタルの幼虫とカワニナ飼育装置は，飼育装置内の水を自然界における川の流れと同じように，循環させるシステムを可能とするために，水槽部２及び浄化用フィルタ部５並びに揚水ポンプ部６を備えたことを特徴とするものである。【００１０】  このホタルの幼虫とカワニナ飼育装置は，ホタルの幼虫やカワニナを大量に育てるための工夫として，飼育トレイ部３の上部は内側に折り曲げ部１１を設けることで飼育トレイ部３外にホタルの幼虫やカワニナが逃げないようにすることを特徴とするものである。【００１１】  このホタルの幼虫とカワニナ飼育装置は，浄化用フィルタ部５並びに揚水ポンプ部６の一体型のものを用いるが，これは分離していてもよい。【００１２】  このホタルの幼虫とカワニナ飼育装置は，飼育トレイ部３の中心部より偏りのある場所に排水用の穴を有することが必要で，上下のトレイは１８０度向きを変えることで水の循環システムを生むことができる。
【発明の効果】
【００１３】  本発明の装置を設置することによって，水槽内での飼育に比べ人工的に大量のホタルの幼虫やカワニナを飼育することの効果を生むことができる。【００１４】  本発明の装置を設置することによって，浄化用フィルタ部５により飼育水の水替え作業を大幅に軽減することが可能となり，水槽部２内の減った分の水は汲み置きの水道水を足す事で飼育可能な効果を生むことができる。【００１５】  本発明の装置を設置することによって，新たにエアレーションを行なわなくてよい。下段の水槽部２とその上部に複数の飼育トレイ部３を垂直方向に備え，揚水ポンプ部６の使用により水を上段の飼育トレイ部３から下段の飼育トレイ部３へ流すことで循環させることになるため，飼育水中の酸素（溶存酸素）を自動的に供給する効果を生むことができる。
【発明を実施するための最良の形態】
【００１６】  図１に示したように，実施例の装置はスチールで組んだラック部１に，下段に浄化用フィルタ部５及び揚水ポンプ部６を設けた水槽部２と，その垂直方向にステンレス製の飼育トレイ部３を備えている。【００１７】  飼育トレイ部３の上部は，若干の折り曲げ部１１を設け，ホタルの幼虫やカワニナが外部に逃げない構造としてある。【００１８】  また，水槽部２はホタルの幼虫やカワニナを飼育するのに十分な水量と，移動可能な大きさを有するものを要する。【００１９】  飼育トレイ部３とその上部の飼育トレイ部３との垂直方向の距離は，設置状態での作業を考慮すると，４００ｍｍ〜５００ｍｍが望ましい。【００２０】  また，本装置の飼育トレイ部３の段数は，１段から３段が好ましい。【００２１】  飼育トレイ部３の排水穴は，直径３０ｍｍ〜５０ｍｍであることが好ましい（図２）。【００２２】  飼育トレイ部３の循環のための排水部７ａの管の高さ（水面高）は，２０ｍｍ〜８０ｍｍであることが好ましい（図３  側面イ）。【００２３】  なお，本実施例では，飼育トレイ部３の循環のための排水部７の管は塩化ビニール製であるが，別の部材で製作することも可能である（図３）。【００２４】  飼育トレイ部３の高さは，５０ｍｍ〜１５０ｍｍが好ましい。【００２５】  排水用の穴の位置は，角より５０ｍｍ×５０ｍｍ〜１５０ｍｍ×１５０ｍｍが好ましい。【００２６】  ラック部１はスチール製で２本足が作業をする上で適している。【００２７】  なお，本実施例では飼育トレイ部３がステンレス製であるが，これらをそれぞれ別の部材で製作することも可能である。【００２８】  また，本実施例では，飼育トレイ部３がラック部１より前方へ突き出した腕に置くように設置したものである。飼育トレイ部３が取り出せることで，飼育トレイ部３のメンテナンスを容易にすることができるが，固定でもよい。【００２９】  本装置では，飼育トレイ部３を支えているラック部１から前方へ伸びている支持部９の先端は，飼育トレイ部３のずれや落下を防ぐための落下防止部１０を有している。【００３０】  さらに，水槽部２の浄化フィルタ部５及び揚水ポンプ部６は水中式のものが好ましいが，外部式のものやセパレート式でもよい（図示せず）。
【図面の簡単な説明】
【００３１】
【図１】本発明に係るラック部１に水槽部２と飼育トレイ部３とキャスター部４の装着状態を示す図
【図２】本発明に係る飼育トレイ部３を示す図
【図３】本発明に係る排水部７を示す図
【図４】本発明に係るゴミ取り部８を示す図
【符号の説明】
【００３２】  １・・ラック部
２・・水槽部
３・・飼育トレイ部
４・・キャスター部
５・・浄化用フィルタ部
６・・揚水ポンプ部
７・・排水部  ａ上部  ｂ下部
８・・ゴミ取り部
９・・支持部
１０・・落下防止部
１１・・折り曲げ部
【図１】
2007082517.tif 000003
【図２】
2007082517.tif 000004
【図３】
2007082517.tif 000005
【図４】
2007082517.tif 000006